(57)【要約】【目的】任意の画像処理をコンピュータで処理することができるカラー画像処理装置を提供すること。【構成】接続されたコンピュータのＵＳＢインターフェイス部がＵＳＢ１．０或はＵＳＢ１．１の場合は、スキャナ部から出力された画像データを変倍処理部で縮小処理を行ってからＵＳＢインターフェイス部を介してコンピュータへ送り、コンピュータ側で画像処理を行ってから再びＵＳＢインターフェイス部を介してデータを受け取りプリンタ部で出力を行い、接続されたコンピュータのＵＳＢインターフェイス部がＵＳＢ２．０の場合は、スキャナ部から出力された画像データをＵＳＢインターフェイス部を介してコンピュータへ送り、コンピュータ側で変倍処理及び画像処理を行ってから再びＵＳＢインターフェイス部を介してデータを受け取りプリンタ部で出力を行って複写動作を行う。【選択図】      図１
2005012486.tif 000002
【特許請求の範囲】
【請求項１】
スキャナ部と変倍処理部とプリンタ部及びコンピュータと接続するためのＵＳＢインターフェイス部から成り、接続されたコンピュータのＵＳＢインターフェイス部がＵＳＢ１．０或はＵＳＢ１．１の場合は、スキャナ部から出力された画像データを変倍処理部で縮小処理を行ってからＵＳＢインターフェイス部を介してコンピュータへ送り、コンピュータ側で画像処理を行ってから再びＵＳＢインターフェイス部を介してデータを受け取りプリンタ部で出力を行い、接続されたコンピュータのＵＳＢインターフェイス部がＵＳＢ２．０の場合は、スキャナ部から出力された画像データをＵＳＢインターフェイス部を介してコンピュータへ送り、コンピュータ側で変倍処理及び画像処理を行ってから再びＵＳＢインターフェイス部を介してデータを受け取りプリンタ部で出力を行って複写動作を行うことを特徴とするカラー画像処理装置。
【請求項２】
スキャナ部と変倍処理部とプリンタ部及びコンピュータと接続するためのＵＳＢインターフェイス部から成り、スキャンボタンの押下によるスキャン動作を行う時に、接続されたコンピュータのＵＳＢインターフェイス部がＵＳＢ１．０或はＵＳＢ１．１の場合は、低解像度でスキャンを行い、接続されたコンピュータのＵＳＢインターフェイス部がＵＳＢ２．０の場合は、高解像度でスキャンを行ってコンピュータにスキャンデータを転送することを特徴とするカラー画像処理装置。
【請求項３】
スキャナ部と変倍処理部とプリンタ部及びコンピュータと接続するためのＵＳＢインターフェイス部から成り、コンピュータのアプリケーションソフトの標準スキャン設定におけるスキャン動作を行う時に、接続されたコンピュータのＵＳＢインターフェイス部がＵＳＢ１．０或はＵＳＢ１．１の場合は、低解像度でスキャンを行い、接続されたコンピュータのＵＳＢインターフェイス部がＵＳＢ２．０の場合は、高解像度でスキャンを行ってコンピュータにスキャンデータを転送することを特徴とするカラー画像処理装置。
【請求項４】
スキャナ部と変倍処理部とプリンタ部及びコンピュータと接続するためのＵＳＢインターフェイス部から成り、コンピュータのアプリケーションソフトの標準プリント設定におけるプリント動作を行う時に、接続されたコンピュータのＵＳＢインターフェイス部がＵＳＢ１．０或はＵＳＢ１．１の場合は、低解像度でプリントを行い、接続されたコンピュータのＵＳＢインターフェイス部がＵＳＢ２．０の場合は、高解像度でプリントを行うことを特徴とするカラー画像処理装置。
【発明の詳細な説明】
【０００１】
【発明の属する技術分野】
本発明は、原稿をカラーで読み取ってカラーでプリント出力したり、原稿をカラーでスキャンしてコンピュータに画像データを転送したり、コンピュータ上にある画像データをカラーでプリント出力するカラー画像処理装置に関する。
【０００２】
【従来の技術】
図６は従来のカラー画像処理装置の構成を示すブロック図であり、本図を用いて装置の動作を説明する。
【０００３】
図６において、１０１は原稿を走査してＲＧＢのアナログ信号を出力するＣＣＤ等の画像撮像素子、１０２は画像撮像素子１０１から出力されるアナログ信号をディジタル信号に変換するＡ／Ｄ変換器、１０４はＡ／Ｄ変換器１０２から出力された画像データを変倍処理する変倍処理部、８０１は変倍処理部１０４から出力された画像データを輝度濃度変換処理する輝度濃度変換処理部、１０３は輝度濃度変換処理部８０１から出力された画像データにマスキング処理を施すマスキング処理部である。
【０００４】
又、８０２はマスキング処理部１０３から出力された画像信号に濃度補正処理を施す濃度補正処理部、１０６は濃度補正処理部８０２から出力された画像データをプリント出力するインクジェットプリンタ、１０７は本カラー画像処理装置の各部の制御を行うＣＰＵ、１０８はＣＰＵ１０７に接続され、ワークエリアとして使用されるＲＡＭ、１０９はＣＰＵ１０７に接続され、ＣＰＵ１０７で実行される命令コードを格納するＲＯＭである。
【０００５】
図７は本カラー画像処理装置によるカラー複写動作の手順を示すフローチャートであり、本図を用いて動作を説明する。
【０００６】
先ず、画像撮像素子１０１で原稿を走査してアナログ信号を出力する（ステップＳ９０１）。次に、Ａ／Ｄ変換器１０２でＡ／Ｄ変換処理を行い、アナログ信号をディジタル信号に変換する（ステップＳ９０２）。
【０００７】
次に、変倍処理を行う。不図示のオペレーションパネルより指示された変倍率に従って線形補間法により処理を行う。
【０００８】
図３は線形補間法における変換前の画素と変換後の画素との関係を示す。図中、画素Ｖ、画素Ｗ、画素Ｘ、画素Ｙは変換前の画素を表す。又、各画素の輝度レベルをそれぞれｖ，ｗ，ｘ，ｙとする。
【０００９】
変換後の画素を画素Ｐとし、画素Ｐと変換前の画素との位置関係は、主走査方向（図の左右方向）に画素ＶからＬａ、画素ＷからＬｂの位置にあり、副走査方向（図の上下方向）には、画素ＶからＫａ、画素ＸからＫｂの位置にあるとする。従って、図３における画素Ｐの輝度レベルｐは、
【００１０】
【数１】
2005012486.tif 000003
となる。本変倍処理部で変倍処理が可能な変倍範囲はハードウェア構成上５０〜２００％の制限がある。
【００１１】
変倍処理された画像データはＲＧＢの輝度信号からＣＭＹの濃度信号への変換を行う（ステップＳ９０４）。輝度濃度変換は色毎にテーブル参照により行われる。図４にテーブルに格納される特性の例を示す。横軸は輝度レベルの入力で、縦軸は濃度レベルの出力である。
【００１２】
次に、画像撮像素子の特性の色空間の画像データをマスキング処理によりインクジェットプリンタの特性の色空間に変換する（ステップＳ９０５）。
【００１３】
マスキング処理の演算の方法は、ＣＭＹを入力画像値とし、Ｃ’Ｍ’Ｙ’を出力画像値とした場合、次式、即ち、
【００１４】
【数２】
2005012486.tif 000004
により行われる。
【００１５】
更に、インクジェットプリンタ１０６の特性に合わせるため、ＣＭＹの各色毎にテーブル参照により濃度補正処理を行う（ステップＳ９０６）。図５にテーブルに格納される特性の例を示す。図５において、横軸は入力レベルで縦軸が出力レベルである。
【００１６】
次に、ＣＭＹの多値信号をインクジェットプリンタ１０６から出力するために誤差拡散法により２値信号に変換する（ステップＳ９０７）。
【００１７】
最後に２値化したＣＭＹの信号をインクジェットプリンタ１０６から出力して（ステップＳ９０８）本カラー画像処理装置によるカラー複写動作を終了する。
【００１８】
尚、スキャナがコンピュータに接続されると、ＵＳＢ１．１とＵＳＢ２．０のどちらで接続されたのかを検出して、それをコンピュータの画面に表示するものは知られている（例えば、特許文献１）。
【００１９】
【特許文献１】
特開２００３−１５０５３９号公報
【発明が解決しようとする課題】
しかしながら、従来の例ではカラー画像処理部本体に任意の画像処理を行う画像処理部を内蔵できないため、様々な画像処理を行うことができないという欠点があった。
【００２０】
本発明は上記問題に鑑みてなされたもので、その目的とする処は、任意の画像処理をコンピュータで処理することができるカラー画像処理装置を提供することにある。
【００２１】
【課題を解決するための手段】
上記目的を達成するため、本発明は、スキャナ部と変倍処理部とプリンタ部及びコンピュータと接続するためのＵＳＢインターフェイス部から成り、接続されたコンピュータのＵＳＢインターフェイス部がＵＳＢ１．０或はＵＳＢ１．１の場合は、スキャナ部から出力された画像データを変倍処理部で縮小処理を行ってからＵＳＢインターフェイス部を介してコンピュータへ送り、コンピュータ側で画像処理を行ってから再びＵＳＢインターフェイス部を介してデータを受け取りプリンタ部で出力を行い、接続されたコンピュータのＵＳＢインターフェイス部がＵＳＢ２．０の場合は、スキャナ部から出力された画像データをＵＳＢインターフェイス部を介してコンピュータへ送り、コンピュータ側で変倍処理及び画像処理を行ってから再びＵＳＢインターフェイス部を介してデータを受け取りプリンタ部で出力を行って複写動作を行うことを特徴とする。
【００２２】
【発明の実施の形態】
以下に本発明の実施の形態を添付図面に基づいて説明する。
【００２３】
＜実施の形態１＞
図１は本発明を実施したカラー画像処理装置の構成を示すブロック図であり、本図を用いて装置の動作を説明する。
【００２４】
図１において、１０１は原稿を走査してＲＧＢのアナログ信号を出力するＣＣＤ等の画像撮像素子、１０２は画像撮像素子１０１から出力されるアナログ信号をディジタル信号に変換するＡ／Ｄ変換器、１０３はＡ／Ｄ変換器１０２から出力されるディジタル信号にスキャナ部での画像処理を施すスキャナ画像処理部、１０４はマスキング処理部１０３から出力された画像データに変倍処理を施す変倍処理部、１０５は変倍処理部１０４から出力される画像データを格納する画像メモリである。
【００２５】
又、１０６は画像メモリ１０５から読み出された画像データをプリント出力するインクジェットプリンタ、１０７は本カラー画像処理装置の各部の制御を行うＣＰＵ、１０８はＣＰＵ１０７に接続され、ワークエリアとして使用されるＲＡＭ、１０９はＣＰＵ１０７に接続され、ＣＰＵ１０７で実行される命令コードを格納するＲＯＭ、１１０は本カラー画像処理装置とコンピュータ等を接続するためのＵＳＢインターフェイス部である。
【００２６】
以下、カラー複写動作について説明する。
【００２７】
図２はカラー複写動作の手順を示すフローチャートである。
【００２８】
最初にコンピュータのＵＳＢインターフェイスがＵＳＢ２．０の時の動作を説明する。
【００２９】
画像撮像素子１０１で原稿を走査してアナログ信号を出力する（ステップＳ２０１）。
【００３０】
次に、Ａ／Ｄ変換器１０２でＡ／Ｄ変換処理を行い、アナログ信号をディジタル信号に変換する（ステップＳ２０２）。
【００３１】
次に、スキャナ画像処理部１０３においてＲＧＢの輝度信号からＣＭＹの濃度信号への変換を行う（ステップＳ２０３）。輝度濃度変換は色毎にテーブル参照により行われる。図４にテーブルに格納される特性の例を示す。図４において、横軸は輝度レベルの入力で、縦軸は濃度レベルの出力である。
【００３２】
続いて、スキャナ画像処理部１０３において画像撮像素子の特性の色空間の画像データをマスキング処理によりＮＴＳＣのＲＧＢの標準色空間に変換する（ステップＳ２０４）。
【００３３】
マスキング処理の演算の方法は、ＲＧＢを入力画像値とし、Ｒ’Ｇ’Ｂ’を出力画像値とした場合、次式、即ち、
【００３４】
【数３】
2005012486.tif 000005
により行われる。
【００３５】
コンピュータインターフェイスがＵＳＢ２．０の場合（ステップＳ２０５）、ＵＳＢインターフェイスを介してコンピュータにデータ転送する（ステップＳ２０６）。
【００３６】
次に、コンピュータにおいて次の方法により変倍処理を行う（ステップＳ２０７）。線形補間法による変倍処理の説明を行う。
【００３７】
図３は線形補間法における変換前の画素と変換後の画素との関係を示す。図中、画素Ｖ、画素Ｗ、画素Ｘ、画素Ｙは変換前の画素を表す。又、各画素の輝度レベルをそれぞれｖ，ｗ，ｘ，ｙとする。
【００３８】
変換後の画素を画素Ｐとし、画素Ｐと変換前の画素との位置関係は、主走査方向（図の左右方向）に画素ＶからＬａ、画素ＷからＬｂの位置にあり、副走査方向（図の上下方向）には、画素ＶからＫａ、画素ＸからＫｂの位置にあるとする。従って、図３における画素Ｐの輝度レベルｐは、従来例で示した式１と同様である。
【００３９】
次に、コンピュータにおいて任意の画像処理を行う（ステップＳ２１０）。
【００４０】
任意の画像処理とはコンピュータ上でユーザにより指示された、濃度調整、カラーバランス調整、コントラスト調整等の画像変換処理である。
【００４１】
次に、ＵＳＢインターフェイスを介してコンピュータから本装置にデータ転送を行う（ステップＳ２１１）。
【００４２】
次に、プリンタ部のマスキング処理を行い、標準色空間の画像信号をインクジェットプリンタ１０６の色の特性に合わせるためマスキング処理を行う（ステップＳ２１２）。
【００４３】
マスキング処理の演算の方法は、ＣＭＹを入力画像値とし、Ｃ’Ｍ’Ｙ’を出力画像値とした場合、次式、即ち、
【００４４】
【数４】
2005012486.tif 000006
により行われる。
【００４５】
更に、インクジェットプリンタ１０６の特性に合わせるため、ＣＭＹの各色毎にテーブル参照により濃度補正処理を行う（ステップＳ２１３）。図５にテーブルに格納される特性の例を示す。図５において、横軸は入力レベルで縦軸が出力レベルである。
【００４６】
次に、ＣＭＹの多値信号をインクジェットプリンタ１０６から出力するために誤差拡散法により２値信号に変換する（ステップＳ２１４）。
【００４７】
最後に、２値化したＣＭＹの信号をインクジェットプリンタ１０６から出力して（ステップＳ２１５）、本カラー画像処理装置によるカラー複写動作を終了する。
【００４８】
以上の説明において、マスキング処理は１次元のマスキング演算で行う例で説明したが、２次元或は更に高次のマスキング演算によれば更に精度の高い処理が可能となる。
【００４９】
又、変倍の処理法として線形補間法による例で説明したが、ＳＰＣ法で簡略化することも可能であり、他の変倍法を用いることも可能である。
【００５０】
＜実施の形態２＞
図１は本発明を実施したカラー画像処理装置の構成を示すブロック図であり、本図を用いて装置の動作を説明する。
【００５１】
図１において、１０１は原稿を走査してＲＧＢのアナログ信号を出力するＣＣＤ等の画像撮像素子、１０２は画像撮像素子１０１から出力されるアナログ信号をディジタル信号に変換するＡ／Ｄ変換器、１０３はＡ／Ｄ変換器１０２から出力されるディジタル信号にスキャナ部での画像処理を施すスキャナ画像処理部、１０４はマスキング処理部１０３から出力された画像データに変倍処理を施す変倍処理部、１０５は変倍処理部１０４から出力される画像データを格納する画像メモリである。
【００５２】
又、１０６は画像メモリ１０５から読み出された画像データをプリント出力するインクジェットプリンタ、１０７は本カラー画像処理装置の各部の制御を行うＣＰＵ、１０８はＣＰＵ１０７に接続され、ワークエリアとして使用されるＲＡＭ、１０９はＣＰＵ１０７に接続され、ＣＰＵ１０７で実行される命令コードを格納するＲＯＭ、１１０は本カラー画像処理装置とコンピュータ等を接続するためのＵＳＢインターフェイス部である。
【００５３】
図８はカラースキャン動作の手順を示すフローチャートであり、以下に図８に従って動作を説明する。
【００５４】
図示しない操作パネルのスキャンボタンの押下、或はコンピュータ上のスキャン開始の操作によりスキャン動作が開始される。
【００５５】
画像撮像素子１０１で原稿を走査してアナログ信号を出力する（ステップＳ１００１）。
【００５６】
次に、Ａ／Ｄ変換器１０２でＡ／Ｄ変換処理を行い、アナログ信号をディジタル信号に変換する（ステップＳ１００２）。
【００５７】
次に、スキャナ画像処理部１０３においてＲＧＢの輝度信号からＣＭＹの濃度信号への変換を行う（ステップＳ１００３）。輝度濃度変換は色毎にテーブル参照により行われる。
【００５８】
図４にテーブルに格納される特性の例を示す。図４において、横軸は輝度レベルの入力で、縦軸は濃度レベルの出力である。
【００５９】
続いて、スキャナ画像処理部１０３において画像撮像素子の特性の色空間の画像データをマスキング処理によりＮＴＳＣのＲＧＢの標準色空間に変換する（ステップＳ１００４）。
【００６０】
マスキング処理の演算の方法は、ＲＧＢを入力画像値とし、Ｒ’Ｇ’Ｂ’を出力画像値とした場合、次式、即ち、
【００６１】
【数５】
2005012486.tif 000007
により行われる。
【００６２】
コンピュータインターフェイスがＵＳＢ２．０の場合（ステップＳ１００５）、ＵＳＢインターフェイスを介してコンピュータに高解像度でデータ転送する（ステップＳ１００６）。
【００６３】
コンピュータのＵＳＢインターフェイスがＵＳＢ１．０或はＵＳＢ１．１の場合、ＵＳＢインターフェイスを介してコンピュータに低解像度でデータ転送する（ステップＳ１００７）。
【００６４】
以上でスキャン動作を完了する。
【００６５】
＜実施の形態３＞
図１は本発明を実施したカラー画像処理装置の構成を示すブロック図であり、本図を用いて装置の動作を説明する。
【００６６】
図１において、１０１は原稿を走査してＲＧＢのアナログ信号を出力するＣＣＤ等の画像撮像素子、１０２は画像撮像素子１０１から出力されるアナログ信号をディジタル信号に変換するＡ／Ｄ変換器、１０３はＡ／Ｄ変換器１０２から出力されるディジタル信号にスキャナ部での画像処理を施すスキャナ画像処理部、１０４はマスキング処理部１０３から出力された画像データに変倍処理を施す変倍処理部、１０５は変倍処理部１０４から出力される画像データを格納する画像メモリである。
【００６７】
又、１０６は画像メモリ１０５から読み出された画像データをプリント出力するインクジェットプリンタ、１０７は本カラー画像処理装置の各部の制御を行うＣＰＵ、１０８はＣＰＵ１０７に接続され、ワークエリアとして使用されるＲＡＭ、１０９はＣＰＵ１０７に接続され、ＣＰＵ１０７で実行される命令コードを格納するＲＯＭ、１１０は本カラー画像処理装置とコンピュータ等を接続するためのＵＳＢインターフェイス部である。
【００６８】
図９はカラープリント動作の手順を示すフローチャートであり、以下に図９に従って動作を説明する。
【００６９】
コンピュータ上のプリント開始の操作によりプリント動作が開始される。
【００７０】
コンピュータ上のドライバソフトウェアにより色変換、解像度変換等の処理を行う（ステップＳ１１０１）。
【００７１】
次に、コンピュータインターフェイスがＵＳＢ２．０の場合（ステップＳ１１０２）、ＵＳＢインターフェイスを介してコンピュータに高解像度でデータ転送する（ステップＳ１１０３）。
【００７２】
コンピュータのＵＳＢインターフェイスがＵＳＢ１．０或はＵＳＢ１．１の場合、ＵＳＢインターフェイスを介してコンピュータに低解像度でデータ転送する（ステップＳ１１０４）。
【００７３】
プリンタにおいてプリント出力して（ステップＳ１１０５）、プリント動作を完了する。
【００７４】
【発明の効果】
以上の説明で明らかなように、本発明によれば、コンピュータと接続することにより、任意の画像処理をコンピュータで処理することが可能となる。
【００７５】
更に、コンピュータのＵＳＢインターフェイスがＵＳＢ２．０の場合は高速にデータ転送を行えるのでスキャナで読み取った解像度でコンピュータにデータ転送を行うが、ＵＳＢインターフェイスがＵＳＢ１．０或はＵＳＢ１．１の場合は、スキャナの解像度ではデータ転送に時間を要するため縮小処理によりデータ量を減らしてからデータを転送を行うことにより、コンピュータのハード資産を有効に使いつつ、データ転送に要する時間を短縮できることにより使い勝手を良くすることができる。
【００７６】
又、スキャン動作時の標準動作モードの解像度設定をインターフェイスの速度に応じて切り替えることにより最適な動作を実現することができる。
【００７７】
更に、プリント動作時の標準動作モードの解像度設定をインターフェイスの速度に応じて切り替えることにより最適な動作を実現することができる。
【図面の簡単な説明】
【図１】本発明に係るカラー画像処理装置の構成を示すブロック図である。
【図２】本発明に係るカラー画像処理装置によるカラー複写動作の手順を示すフローチャートである。
【図３】線形補間法における変換前の画素と変換後の画素との関係を示す図である。
【図４】輝度濃度変換のテーブルの特性例を示す図である。
【図５】濃度補正処理のテーブルの特性例を示す図である。
【図６】従来のカラー画像処理装置の構成を示すブロック図である。
【図７】従来のカラー画像処理装置によるカラー複写動作の手順を示すフローチャートである。
【図８】本発明に係るカラー画像処理装置によるスキャン動作の手順を示すフローチャートである。
【図９】本発明に係るカラー画像処理装置によるプリント動作の手順を示すフローチャートである。
【符号の説明】
１０１  画像撮像素子
１０２  Ａ／Ｄ変換器
１０３  スキャナ処理部
１０４  変倍処理部
１０５  画像メモリ
１０６  インクジェットプリンタ
１０７  ＣＰＵ
１０８  ＲＡＭ
１０９  ＲＯＭ
１１０  ＵＳＢインターフェイス部
【図１】
2005012486.tif 000008
【図２】
2005012486.tif 000009
【図３】
2005012486.tif 000010
【図４】
2005012486.tif 000011
【図５】
2005012486.tif 000012
【図６】
2005012486.tif 000013
【図７】
2005012486.tif 000014
【図８】
2005012486.tif 000015
【図９】
2005012486.tif 000016